(57)【要約】【課題】  眼鏡フレームの装着を容易にすると共に従来よりもホールド性に優れた眼鏡フレーム用テンプル及びこれを用いた眼鏡フレームを提供する。【解決手段】  第１部材２１ａ，２１ｂと、第２部材２２ａ，２２ｂ（２２ａ’，２２ｂ’）と、第１部材２１ａ，２１ｂと第２部材２２ａ，２２ｂ（２２ａ’，２２ｂ’）とを連結する連結部材２３ａ，２３ｂ（２３ａ’，２３ｂ’）とを有する眼鏡フレーム用テンプル２ａ，２ｂ（２ａ’，２ｂ’）を備えた眼鏡フレーム１０（１０’）において、連結部材２３ａ，２３ｂ（２３ａ’，２３ｂ’）は、可撓性を有し、外方に向けて凸状に湾曲した第１姿勢と、内方に向けて凸状に湾曲した第２姿勢とに切り替わる。【選択図】  図１
2006195391.tif 000002
【特許請求の範囲】
【請求項１】
第１部材と、前記第１部材の先端部側に配設された第２部材と、前記第１部材と前記第２部材との間に介在し前記第１部材と前記第２部材とを連結する連結部材とを備え、
前記連結部材は、可撓性を有し、前記第２部材の先端部が内方に向かうように外方に向けて凸状に湾曲した第１姿勢と、前記第２部材の先端部が外方に向かうように内方に向けて凸状に湾曲した第２姿勢とに切り替わることを特徴とする眼鏡フレーム用テンプル。
【請求項２】
前記連結部材は、前記第１姿勢において、幅方向中央部を境にした上下の内側面が互いに向かい合う方向に湾曲した姿勢を取り、前記第２姿勢において、幅方向中央部を境にした上下の外側面が互いに向かい合う方向に湾曲した姿勢を取るように形成されていることを特徴とする請求項１に記載の眼鏡フレーム用テンプル。
【請求項３】
前記連結部材は、少なくとも周縁部を残して開口部が設けられていることを特徴とする請求項２に記載の眼鏡フレーム用テンプル。
【請求項４】
前記第２姿勢において、前記第２部材の基端が前記第１部材の先端よりも内方に位置することを特徴とする請求項１から３の何れかに記載の眼鏡フレーム用テンプル。
【請求項５】
前記第１部材、前記第２部材及び前記連結部材が一体的に形成されていることを特徴とする請求項１から３の何れかに記載の眼鏡フレーム用テンプル。
【請求項６】
請求項１から５の何れかに記載の眼鏡フレーム用テンプルを具備することを特徴とする眼鏡フレーム。
【発明の詳細な説明】
【技術分野】
【０００１】
本発明は、眼鏡フレーム用テンプル及びそれを具備する眼鏡フレームに関する。
【背景技術】
【０００２】
眼鏡フレームは、通常、前枠、該前枠の両端からそれぞれ先端部側に延出するテンプル、丁番等のフレーム部材が連結されて構成されている。このような眼鏡フレームにおいて、デザイン性の観点より、所謂ストレートテンプル（先端部が下方に湾曲していない或いは湾曲の少ないテンプル）を具備する眼鏡フレームが流行している。
【発明の開示】
【発明が解決しようとする課題】
【０００３】
かかるストレートテンプルを具備する眼鏡フレームにおいては、一般的には、使用者の顔の側面に沿うように（換言すれば、使用者の耳裏から後頭部に向かうように）テンプル先端部側を外方に向けて凸状に湾曲させると共に、顔の両側面にバネ力（押圧力）を付与するようにテンプル全体に回動方向へのバネ性を付与している。
【０００４】
しかしながら、このようにテンプル先端部側が使用者の顔の側面に沿うように外方に向けて凸状に湾曲していると、左右のテンプルの先端部間の距離が顔の幅よりも狭くなるので、該眼鏡フレームを装着するに先立って、顔の両側面に付与されるべきバネ力に抗してテンプルを顔の幅程度或いは顔の幅より大きく開けた状態にしなければならず、眼鏡フレームを装着し難いという問題がある。また、ストレートテンプルは、使用者の耳裏に当接する部分が少ないため、先端部が下方に湾曲した通常のテンプルに比べれば、眼鏡フレームを装着する際に、該眼鏡フレームを安定した状態に保持するホールド性に劣るものである。
【０００５】
従って、ストレートテンプルを備えた眼鏡フレームの装着性やホールド性を高めるべく、従来より種々の提案がなされている。
【０００６】
例えば、眼鏡フレームのツルとして、前枠に継手を介して連結される第１ツルと、第１ツルの先端に軸を介して揺動可能に取付けられる第２ツルから成り、第２ツルが軸支される位置が内端から所定の距離としたものが提案されている（特許文献１参照）。
【０００７】
しかしながら、このような従来の眼鏡フレームのツルでは、第２ツルが第１ツルの先端に軸を介して揺動可能に取付けられるので、装着性は向上するものの、第２ツルの内端から軸支されるまでの部位（特許文献１の図１及び図３中Ｌの範囲）が、使用者が顔を動かしたり、運動等を行ったりすることで、顔の側部に触れることにより、眼鏡フレーム装着時であっても第２ツルが僅かに揺動するため、ホールド性を良好に維持することができないという問題がある。また、第１ツルと第２ツルとを軸支する構成であるため、繰り返し使用している内に軸部材が劣化しやすいという問題もある。
【０００８】
本発明は、斯かる従来技術の問題点を解決するべくなされたものであり、眼鏡フレームの装着を容易にすると共に従来よりもホールド性に優れた眼鏡フレーム用テンプル及びこれを用いた眼鏡フレームを提供することを課題とする。
【特許文献１】実用新案第３０８１２６１号公報
【課題を解決するための手段】
【０００９】
前記課題を解決するべく、本発明は、第１部材と、前記第１部材の先端部側に配設された第２部材と、前記第１部材と前記第２部材との間に介在し前記第１部材と前記第２部材とを連結する連結部材とを備え、前記連結部材は、可撓性を有し、前記第２部材の先端部が内方に向かうように外方に向けて凸状に湾曲した第１姿勢と、前記第２部材の先端部が外方に向かうように内方に向けて凸状に湾曲した第２姿勢とに切り替わる眼鏡フレーム用テンプル及び該眼鏡フレーム用テンプルを具備する眼鏡フレームを提供するものである。
【００１０】
本発明の眼鏡フレーム用テンプル及び眼鏡フレームにおいて「基端部」とは眼鏡フレームを構成した場合のレンズを保持する前枠側の端部をいい、「先端部」とは前記前枠側とは反対側の端部をいう。また、「外方」とは、眼鏡フレームを構成する前枠を取り付けた状態で外方という意味であり、「内方」とは、眼鏡フレームを構成する前枠を取り付けた状態で内方という意味である。
【００１１】
本発明において、前記連結部材及び前記第２部材は、前記第１姿勢を取る状態で使用者の顔の側面にフィットする形態になるように形成しておけばよい。
【００１２】
本発明に係る眼鏡フレーム用テンプル及び眼鏡フレームでは、使用者が装着する際には、前記連結部材を前記第２姿勢を取るように切り替えると、このとき該連結部材が、前記第２部材の先端部が外方に向かうように内方に向けて凸状に湾曲するので、該連結部材に連結された前記第２部材の先端部が外方に向けて旋回し、ひいては左右の前記第２部材の先端部間の距離が比較的広くなり、これにより、装着しやすくすることができる。また、装着後には、前記連結部材を前記第１姿勢を取るように切り替えれば、該連結部材が、前記第２部材の先端部が内方に向かうように外方に向けて凸状に湾曲するので、該連結部材に連結された前記第２部材の先端部が内方に向けて旋回し、このとき該第２部材が使用者の顔の側面に沿うように（換言すれば、使用者の耳裏から後頭部に向かうように）該使用者の顔側面にフィットされた状態で維持され得る。これにより、従来よりもホールド性を高めることができる。また、取り外す際には、そのまま取り外してもよいが、前記連結部材を前記第２姿勢を取るように切り替えることで、該連結部材に連結された前記第２部材の先端部が外方に向けて旋回し、左右の前記第２部材の先端部間の距離が比較的広くなるので、容易に取り外すことができる。
【００１３】
前記連結部材の具体的態様としては、次のものを例示できる。すなわち、前記連結部材が、前記第１姿勢において、幅方向中央部を境にした上下の内側面が互いに向かい合うように湾曲した姿勢を取り、前記第２姿勢において、幅方向中央部を境にした上下の外側面が互いに向かい合うように湾曲した姿勢を取るように形成されている場合である。ここで、前記の「内側面」とは、眼鏡フレームを構成する前枠を取り付けた状態での内側面であり、また、前記の「外側面」とは、眼鏡フレームを構成する前枠を取り付けた状態での外側面である。かかる態様においては、前記連結部材は、前記第１姿勢から前記第２姿勢に切り替えられる際には、内方に向けて付勢力が付与される状態となる一方、前記第２姿勢から前記第１姿勢に切り替えられる際には、外方に向けて付勢力が付与される状態となる。
【００１４】
この連結部材が、単なる板状部材で形成されていると、前記第１姿勢及び前記第２姿勢のうち一方の状態から他方の状態に遷移する際に該連結部材に反力が加わり、これら姿勢を切り替えるために比較的多くの力が必要となり、従って、該姿勢を切り替え難い。また、これら姿勢の切替回数が増えるにつれて、該連結部材の可撓性が劣化しやすくなり、ひいては前記第１姿勢と前記第２姿勢との切替性が低下しやすくなる。そこで、前記連結部材は、少なくとも周縁部を残して開口部が設けられていることが好ましい。こうすることで、前記連結部材の前記第１姿勢及び前記第２姿勢のうち一方の状態から他方の状態に遷移する遷移過程において加わる反力を該開口部で逃しやすくすることができるので、これら姿勢を切り替えるために必要な力を少なくすることができ、従って、該姿勢の切り替えを容易に行うことができると共に、これら姿勢の切替回数が増えても、該連結部材の弾性を維持でき、それだけ前記第１姿勢と前記第２姿勢との切替性を良好に維持することができる。
【００１５】
また、本発明に係る眼鏡フレーム用テンプル及び眼鏡フレームでは、前記第２姿勢において、前記第２部材の基端が前記第１部材の先端よりも内方に位置することが好ましい。こうすることで、前記連結部材がかかる第２姿勢を取るように切り替えられている状態において、使用者による装着の際に、前記第２部材の基端部側が外方に押され、この動作によって前記連結部材が前記第１姿勢に切り替えられるので、かかる装着動作とは別個の切り替え動作を行うことなく、前記第２姿勢から前記第１姿勢へ切り替えることができる。
【００１６】
また、本発明に係る眼鏡フレーム用テンプルにおいて、前記第１部材、前記第２部材及び前記連結部材が一体的に形成されていることが好ましい。さらに言えば、前記第１部材、前記第２部材及び前記連結部材が、それぞれ、第１テンプル部、前記第１テンプル部の先端部側に連設された第２テンプル部及び前記第１テンプル部と前記第２テンプル部との間に連設された連結部として一体的に形成されており、前記連結部が、少なくとも可撓性を有すると共に、前記第２テンプル部の先端部が内方に向かうように外方に向けて凸状に湾曲した第１姿勢と、前記第２テンプル部の先端部が外方に向かうように内方に向けて凸状に湾曲した第２姿勢とに切り替わることが好ましい。こうすることで、前記第１部材、前記第２部材及び前記連結部材の組付作業工程をなくすことができ、それだけ、生産性を向上させることができると共に、前記第１部材及び前記第２部材と前記連結部材とのつなぎ目がないので、使用者が装着するに際して、快適な装着感を得ることができる。
【発明の効果】
【００１７】
以上説明したように本発明によると、眼鏡フレームの装着を容易にすると共に従来よりもホールド性に優れた眼鏡フレーム用テンプル及びこれを用いた眼鏡フレームを提供することができる。
【発明を実施するための最良の形態】
【００１８】
以下、添付図面を参照しつつ、本発明の実施の形態について説明する。図１は本発明の実施形態に係る左右一対の眼鏡フレーム用テンプルであって、所謂ストレートタイプのテンプルの一例２ａ，２ｂを備えた眼鏡フレーム１０の概略構成を示す図であり、図１（Ａ）は後述する左右の連結部材２３ａ，２３ｂが外方に向けて凸状に湾曲した第１姿勢を取っている状態を示す眼鏡フレーム１０の平面図であり、図１（Ｂ）は図１（Ａ）に示す眼鏡フレーム１０の左側面図であり、図１（Ｃ）は該左右の連結部材２３ａ，２３ｂが内方に向けて凸状に湾曲した第２姿勢を取っている状態を示す眼鏡フレーム１０の平面図であり、図１（Ｄ）は図１（Ｃ）に示す眼鏡フレーム１０の左側面図である。
【００１９】
なお、左右のテンプル２ａ，２ｂにおいて、以下に記述する「基端部」とは眼鏡フレーム１０を構成した場合の前枠１側の端部をいい、「先端部」とは前記前枠側１とは反対側の端部をいう。また、図１（Ｂ）及び図１（Ｄ）では、いずれも眼鏡フレーム１０の左側面を示しているが、眼鏡フレーム１０の右側面の構成は、左側面の構成とは左右対称になっているだけで、該左側面の構成と実質的に同様の構成をしている。従って、ここでは、右側面の構成については図示を省略し、左側面図で代表させて示している。後述する図２（Ａ）、図３（Ｂ）及び図３（Ｄ）、図４（Ｂ）及び図４（Ｄ）並びに図５（Ａ）についても同様である。
【００２０】
図１に示すように、眼鏡フレーム１０は、レンズを保持する前枠１と、該前枠１の両端からそれぞれ先端部側２ｙに延出する左右のテンプル２ａ，２ｂと、前枠１の両端部で左右のテンプル２ａ，２ｂをそれぞれ開閉させるための丁番３ａ，３ｂとを具備するものである。
【００２１】
左右のテンプル２ａ，２ｂは、それぞれ第１部材２１ａ，２１ｂと、第１部材２１ａ，２１ｂの先端部側２ｙに配設された第２部材２２ａ，２２ｂと、第１部材２１ａ，２１ｂと第２部材２２ａ，２２ｂとの間に介在し第１部材２１ａ，２１ｂと第２部材２２ａ，２２ｂとを連結する左右の連結部材２３ａ，２３ｂとを備えている。
【００２２】
第１部材２１ａ，２１ｂは、先端部側２ｙでそれぞれ連結部材２３ａ，２３ｂに連結されている一方、基端部側で前枠１にそれぞれ丁番３ａ，３ｂを介して回動自在に取り付けられている。第２部材２２ａ，２２ｂは、それぞれ連結部材２３ａ，２３ｂに連結されており、先端部が自由端となっている。なお、第１部材２１ａ，２１ｂ及び第２部材２２ａ，２２ｂの材料としては、金属材料、樹脂材料等いずれの材料を用いてもよい。また、従来のストレートテンプルに使用される如く柔軟性を有していてもよいが、例えば、比較的太い形状に形成されたプラスチック材料や、マグネシウム、アルミニウム等の金属材料を用いることができる。このような材料を用いることで、変形が少なく、丈夫で且つ装着による劣化が少ない第１部材及び第２部材を形成することができる。
【００２３】
図２は図１に示す眼鏡フレーム１０における連結部材２３ａ，２３ｂについて示した概略図であり、図２（Ａ）はその左側面図を示しており、図２（Ｂ）は左右の連結部材２３ａ，２３ｂが外方に向けて凸状に湾曲した第１姿勢を取っている状態の該左右の連結部材２３ａ，２３ｂの断面図を示しており、また、図２（Ｃ）は左右の連結部材２３ａ，２３ｂが内方に向けて凸状に湾曲した第２姿勢を取っている状態の該左右の連結部材２３ａ，２３ｂの断面図を示している。
【００２４】
連結部材２３ａ，２３ｂは、いずれも可撓性を有するものであり、金属材料や樹脂材料からなっていて、第２部材２２ａ，２２ｂの先端部が内方に向かうように外方に向けて凸状に湾曲した第１姿勢と、第２部材２２ａ，２２ｂの先端部が外方に向かうように内方に向けて凸状に湾曲した第２姿勢とに切り替わるように構成されている。
【００２５】
さらに具体的に説明すると、連結部材２３ａ，２３ｂは、それぞれ第２部材２２ａ，２２ｂの先端部が内方に向かうように外方に向けて凸状に湾曲した前記第１姿勢において、幅方向（図２中Ｘ方向）中央部Ｐを境にした上下の内側面Ｑ１，Ｑ２が互いに向かい合う方向に湾曲した姿勢を取り、第２部材２２ａ，２２ｂの先端部が外方に向かうように内方に向けて凸状に湾曲した前記第２姿勢において、幅方向Ｘ中央部Ｐを境にした上下の外側面Ｑ１’，Ｑ２’が互いに向かい合う方向に湾曲した姿勢を取るように形成されている。この連結部材２３ａ，２３ｂは、前記第１姿勢から前記第２姿勢に切り替えられる際には、内方に向けて付勢力が付与される状態となる一方、前記第２姿勢から前記第１姿勢に切り替えられる際には、外方に向けて付勢力が付与される状態となる。なお、連結部材２３ａ，２３ｂの材料としては、可撓性を有する金属材料や樹脂材料の他、可撓性を有するものであれば、いずれの材料を採用してもよい。
【００２６】
ここで、連結部材２３ａ，２３ｂが、単なる板状部材で形成されていると、前記第１姿勢及び前記第２姿勢のうち一方の状態から他方の状態に遷移する際に該連結部材に反力が加わり、これら姿勢を切り替えるために比較的多くの力が必要となり、従って、該姿勢を切り替え難い。また、これら姿勢の切替回数が増えるにつれて、該連結部材の可撓性が劣化しやすくなり、ひいては前記第１姿勢と前記第２姿勢との切替性が低下しやすくなる。そこで、本例では、連結部材２３ａ，２３ｂは、少なくとも周縁部を残して、さらに具体的に言えば、周端から中心に向かう途中の部位までの周縁部を除いた中央領域に開口部Ｈが設けられている。
【００２７】
また、連結部材２３ａ，２３ｂ及び第２部材２２ａ，２２ｂは、前記第１姿勢を取る状態で使用者の顔の側面にフィットする形態になるように形成されている。
【００２８】
図３は本発明の実施形態に係る左右一対の眼鏡フレーム用テンプルであって、所謂ストレートタイプのテンプルの他の例２ａ’，２ｂ’を備えた眼鏡フレーム１０’の概略構成を示す図であって、図３（Ａ）は左右の連結部材２３ａ’，２３ｂ’が外方に向けて凸状に湾曲した第１姿勢を取っている状態を示す眼鏡フレーム１０’の平面図であり、図３（Ｂ）は図３（Ａ）に示す眼鏡フレーム１０’の左側面図であり、図３（Ｃ）は該左右の連結部材２３ａ’，２３ｂ’が内方に向けて凸状に湾曲した第２姿勢を取っている状態を示す眼鏡フレーム１０’の平面図であり、図３（Ｄ）は図３（Ｃ）に示す眼鏡フレーム１０’の左側面図である。
【００２９】
図３に示すテンプル２ａ’，２ｂ’を備えた眼鏡フレーム１０’は、連結部材及び第２部材が異なる以外は図１に示すテンプル２ａ，２ｂを備えた眼鏡フレーム１０と実質的に同じ構成をしており、ここでは図１の眼鏡フレーム１０とは異なる点を中心に説明し、共通する部分についての詳しい説明は省略する。なお、図３において、図１の眼鏡フレーム１０と実質的に同じ構成、作用を有する部材については同じ参照符号を付してある。
【００３０】
左右のテンプル２ａ’，２ｂ’は、それぞれ第１部材２１ａ，２１ｂと、第１部材２１ａ，２１ｂの先端部側２ｙに配設された第２部材２２ａ’，２２ｂ’と、第１部材２１ａ，２１ｂと第２部材２２ａ’，２２ｂ’との間に介在し第１部材２１ａ，２１ｂと第２部材２２ａ’，２２ｂ’とを連結する左右の連結部材２３ａ’，２３ｂ’とを備えている。
【００３１】
第１部材２１ａ，２１ｂは、先端部側２ｙでそれぞれ左右の連結部材２３ａ’，２３ｂ’に連結されている一方、基端部側で前枠１にそれぞれ丁番３ａ，３ｂを介して回動自在に取り付けられている。第２部材２２ａ’，２２ｂ’は、それぞれ連結部材２３ａ’，２３ｂ’に連結されており、先端部が自由端となっている。ここで、第２部材２２ａ’，２２ｂ’は、図１に示す第２部材２２ａ，２２ｂより少し長くなっている。
【００３２】
連結部材２３ａ’，２３ｂ’は、いずれも可撓性を有するものであり、金属材料や樹脂材料からなっていて、第２部材２２ａ’，２２ｂ’の先端部が内方に向かうように外方に向けて凸状に湾曲した第１姿勢と、第２部材２２ａ’，２２ｂ’の先端部が外方に向かうように内方に向けて凸状に湾曲した第２姿勢とに切り替わるように構成されている。なお、連結部材２３ａ’，２３ｂ’の態様は、長さが少し長くなっている以外は図１及び図２に示す連結部材２３ａ，２３ｂの態様と同様であり、ここでは、連結部材２３ａ’，２３ｂ’についての詳しい説明は省略する。
【００３３】
また、連結部材２３ａ’，２３ｂ’及び第２部材２２ａ’，２２ｂ’は、前記第１姿勢を取る状態で使用者の顔の側面にフィットする形態になるように形成されている。
【００３４】
さらに、このテンプル２ａ’，２ｂ’を備えた眼鏡フレーム１０’では、前記第２姿勢において（図３（Ｃ）参照）、第２部材２２ａ’，２２ｂ’の基端Ｒ１が第１部材２１ａ，２１ｂの先端Ｒ２よりも内方に位置するように、本例では、前記第１姿勢において（図３（Ａ）参照）、第２部材２２ａ’，２２ｂ’の基端部が第１部材２１ａ，２１ｂの先端部に対して内側に重なるように構成してある。
【００３５】
図４は本発明の実施形態に係る左右一対の眼鏡フレーム用テンプルであって、所謂ストレートタイプのテンプルのさらに他の例２ａ”，２ｂ”を備えた眼鏡フレーム１０”の概略構成を示す図であって、図４（Ａ）は左右の連結部２３ａ”，２３ｂ”が外方に向けて凸状に湾曲した第１姿勢を取っている状態を示す眼鏡フレーム１０”の平面図であり、図４（Ｂ）は図４（Ａ）に示す眼鏡フレーム１０”の左側面図であり、図４（Ｃ）は該左右の連結部２３ａ”，２３ｂ”が内方に向けて凸状に湾曲した第２姿勢を取っている状態を示す眼鏡フレーム１０”の平面図であり、図４（Ｄ）は図４（Ｃ）に示す眼鏡フレーム１０”の左側面図である。
【００３６】
図４に示すテンプル２ａ”，２ｂ”を備えた眼鏡フレーム１０”は、図１に示す眼鏡フレーム１０において、テンプル２ａ，２ｂに代えて、それぞれ、第１部材２１ａ，２１ｂ、第２部材２２ａ，２２ｂ及び連結部材２３ａ，２３ｂを一体成形した左右一対の眼鏡フレーム用テンプル２ａ”，２ｂ”を設けた以外は図１に示す眼鏡フレーム１０と実質的に同じ構成をしている。なお、図４において、図１の眼鏡フレーム１０と実質的に同じ構成、作用を有する部材については同じ参照符号を付してある。
【００３７】
テンプル２ａ”，２ｂ”は、図１に示すテンプル２ａ，２ｂにおいて、第１部材２１ａ，２１ｂ、第２部材２２ａ，２２ｂ及び連結部材２３ａ，２３ｂがそれぞれ第１テンプル部２１ａ”，２１ｂ”、第２テンプル部２２ａ”，２２ｂ”及び連結部２３ａ”，２３ｂ”として一体形成されたものである。
【００３８】
第１テンプル部２１ａ”，２１ｂ”は、先端部側２ｙがそれぞれ連結部２３ａ”，２３ｂ”に連設されている一方、基端部側が前枠１にそれぞれ丁番３ａ，３ｂを介して回動自在に取り付けられている。第２テンプル部２２ａ”，２２ｂ”は、それぞれ連結部２３ａ”，２３ｂ”に連設されており、先端部が自由端となっている。なお、こうして一体成形されたテンプル２ａ”，２ｂ”は全体が可撓性を有しており、その材料としては、可撓性を有する金属材料や樹脂材料の他、可撓性を有するものであれば、いずれの材料を採用してもよい。
【００３９】
図５は図４に示す眼鏡フレーム１０”におけるテンプル２ａ”，２ｂ”の連結部２３ａ”，２３ｂ”について示した概略図であり、図５（Ａ）はその左側面図を示しており、図５（Ｂ）は連結部２３ａ”，２３ｂ”が外方に向けて凸状に湾曲した第１姿勢を取っている状態の該連結部２３ａ”，２３ｂ”の断面図を示しており、また、図５（Ｃ）は連結部２３ａ”，２３ｂ”が内方に向けて凸状に湾曲した第２姿勢を取っている状態の該連結部２３ａ”，２３ｂ”の断面図を示している。
【００４０】
連結部２３ａ”，２３ｂ”は、第１テンプル部２１ａ”，２１ｂ”と第２テンプル部２２ａ”，２２ｂ”との間に連設されており、第２テンプル部２２ａ”，２２ｂ”の先端部が内方に向かうように外方に向けて凸状に湾曲した第１姿勢と、第２テンプル部２２ａ”，２２ｂ”の先端部が外方に向かうように内方に向けて凸状に湾曲した第２姿勢とに切り替わるように構成されている。
【００４１】
さらに具体的に説明すると、連結部２３ａ”，２３ｂ”は、それぞれ第２テンプル部２２ａ”，２２ｂ”の先端部が内方に向かうように外方に向けて凸状に湾曲した前記第１姿勢において、幅方向（図５中Ｘ方向）中央部Ｐを境にした上下の内側面Ｑ１，Ｑ２が互いに向かい合う方向に湾曲した姿勢を取り、第２テンプル部２２ａ”，２２ｂ”の先端部が外方に向かうように内方に向けて凸状に湾曲した前記第２姿勢において、幅方向Ｘ中央部Ｐを境にした上下の外側面Ｑ１’，Ｑ２’が互いに向かい合う方向に湾曲した姿勢を取るように形成されている。この連結部２３ａ”，２３ｂ”は、前記第１姿勢から前記第２姿勢に切り替えられる際には、内方に向けて付勢力が付与される状態となる一方、前記第２姿勢から前記第１姿勢に切り替えられる際には、外方に向けて付勢力が付与される状態となる。
【００４２】
ここで、連結部２３ａ”，２３ｂ”が、単なる板状に形成されていると、前記第１姿勢及び前記第２姿勢のうち一方の状態から他方の状態に遷移する際に該連結部に反力が加わり、これら姿勢を切り替えるために比較的多くの力が必要となり、従って、該姿勢を切り替え難い。また、これら姿勢の切替回数が増えるにつれて、該連結部の可撓性が劣化しやすくなり、ひいては前記第１姿勢と前記第２姿勢との切替性が低下しやすくなる。そこで、本例では、連結部２３ａ”，２３ｂ”は、中央領域において開口部Ｈが設けられている。
【００４３】
また、連結部２３ａ”，２３ｂ”及び第２テンプル部２２ａ”，２２ｂ”は、前記第１姿勢を取る状態で使用者の顔の側面にフィットする形態になるように形成されている。
【００４４】
なお、テンプル２ａ”，２ｂ”は、例えば、図６（Ａ）に示すように、金型加工等によって連結部２３ａ”，２３ｂ”における開口部Ｈ周縁部（図中斜線参照）の一部を開放した開放部分Ｔを有する中間部材２０に形成しておき、該中間部材２０の開放部分Ｔを閉じる際に、該開放部分Ｔの両開放端Ｔ１，Ｔ２を、連結部２３ａ”，２３ｂ”が、図５（Ｂ）及び図５（Ｃ）に示すように、前記第１姿勢において、幅方向中央部Ｐを境にした上下の内側面Ｑ１，Ｑ２が互いに向かい合う方向に湾曲した姿勢を取り、前記第２姿勢において、幅方向Ｘ中央部Ｐを境にした上下の外側面Ｑ１’，Ｑ２’が互いに向かい合う方向に湾曲した姿勢を取るように重ね合わせて接合することで、最終的なテンプル２ａ”，２ｂ”の形状（図６（Ｂ）参照）に形成してもよい。前記開放部分２０を閉じる両開放端Ｔ１，Ｔ２の接合方法としては、本例では、ネジ及びナット止めＴ３による接合方法を採用しているが、この他、ネジやピン等のカシメ加工による接合方法、溶接による接合方法等を採用してもよい。
【００４５】
以上説明した眼鏡フレーム用テンプル２ａ，２ｂを備えた眼鏡フレーム１０及び眼鏡フレーム用テンプル２ａ’，２ｂ’を備えた眼鏡フレーム１０’並びに眼鏡フレーム用テンプル２ａ”，２ｂ”を備えた眼鏡フレーム１０”では、使用者が装着する際には、連結部材２３ａ，２３ｂ及び連結部材２３ａ’，２３ｂ’並びに連結部２３ａ”，２３ｂ”を前記第２姿勢を取るように切り替えると（図１（Ｃ）及び図３（Ｃ）並びに図４（Ｃ）参照）、このとき該連結部材２３ａ，２３ｂ及び連結部材２３ａ’，２３ｂ’並びに連結部２３ａ”，２３ｂ”が、第２部材２２ａ，２２ｂ及び第２部材２２ａ’，２２ｂ’並びに第２テンプル部２２ａ”，２２ｂ”の先端部が外方に向かうように内方に向けて凸状に湾曲するので、該連結部材２３ａ，２３ｂ及び連結部材２３ａ’，２３ｂ’に連結された第２部材２２ａ，２２ｂ及び第２部材２２ａ’，２２ｂ’並びに連結部２３ａ”，２３ｂ”に連設された第２テンプル部２２ａ”，２２ｂ”の先端部が外方に向けて旋回し、ひいては左右の第２部材２２ａ，２２ｂ及び第２部材２２ａ’，２２ｂ’並びに第２テンプル部２２ａ”，２２ｂ”の先端部間の距離ｄ，ｄ’，ｄ”が比較的広くなり、これにより、装着しやすくすることができる。また、装着後には、連結部材２３ａ，２３ｂ及び連結部材２３ａ’，２３ｂ’並びに連結部２３ａ”，２３ｂ”を前記第１姿勢を取るように切り替えれば（図１（Ａ）及び図３（Ａ）並びに図４（Ａ）参照）、該連結部材２３ａ，２３ｂ及び連結部材２３ａ’，２３ｂ’並びに連結部２３ａ”，２３ｂ”が、第２部材２２ａ，２２ｂ及び第２部材２２ａ’，２２ｂ’並びに第２テンプル部２２ａ”，２２ｂ”の先端部が内方に向かうように外方に向けて凸状に湾曲するので、該連結部材２３ａ，２３ｂ及び連結部材２３ａ’，２３ｂ’に連結された第２部材２２ａ，２２ｂ及び第２部材２２ａ’，２２ｂ’並びに連結部２３ａ’，２３ｂ’に連設された第２テンプル部２２ａ”，２２ｂ”の先端部が内方に向けて旋回し、このとき該第２部材２２ａ，２２ｂ及び第２部材２２ａ’，２２ｂ’並びに第２テンプル部２２ａ”，２２ｂ”が使用者の顔の側面に沿うように（換言すれば、使用者の耳裏から後頭部に向かうように）該使用者の顔側面にフィットされた状態で維持され得る。このとき、第２部材２２ａ，２２ｂ及び第２部材２２ａ’，２２ｂ’並びに第２テンプル部２２ａ”，２２ｂ”は、前記第１姿勢から前記第２姿勢に切り替えられる際に内方に向けて付与される付勢力により、使用者の顔の側面に沿って確実に保持されている。これにより、従来よりもホールド性を高めることができる。また、取り外す際には、そのまま取り外してもよいが、連結部材２３ａ，２３ｂ及び連結部材２３ａ’，２３ｂ’並びに連結部２３ａ”，２３ｂ”を前記第２姿勢を取るように切り替えることで（図１（Ｃ）及び図３（Ｃ）並びに図４（Ｃ）参照）、該連結部材２３ａ，２３ｂ及び連結部材２３ａ’，２３ｂ’に連結された第２部材２２ａ，２２ｂ及び第２部材２２ａ’，２２ｂ’並びに連結部２３ａ”，２３ｂ”に連設された第２テンプル部２２ａ”，２２ｂ”の先端部が外方に向けて旋回し、左右の前記第２部材２２ａ，２２ｂ及び第２部材２２ａ’，２２ｂ’並びに第２テンプル部２２ａ”，２２ｂ”の先端部間の距離ｄ，ｄ’，ｄ”が比較的広くなるので、容易に取り外すことができる。
【００４６】
また、連結部材２３ａ，２３ｂ及び連結部材２３ａ’，２３ｂ’並びに連結部２３ａ”，２３ｂ”は、前記中央領域に開口部Ｈを有しているので、図７に示すように、連結部材２３ａ，２３ｂ及び連結部材２３ａ’，２３ｂ’並びに連結部２３ａ”，２３ｂ”の前記第１姿勢及び前記第２姿勢のうち一方の状態から他方の状態に遷移する遷移過程において加わる反力Ｆを該開口部Ｈで逃しやすくすることができるので、これら姿勢を切り替えるために必要な力を少なくすることができ、従って、該姿勢の切り替えを容易に行うことができると共に、これら姿勢の切替回数が増えても、該連結部材２３ａ，２３ｂ及び連結部材２３ａ’，２３ｂ’並びに連結部２３ａ”，２３ｂ”の弾性を維持でき、それだけ前記第１姿勢と前記第２姿勢との切替性を良好に維持することができる。なお、図７（Ａ）は左連結部材２３ａ，２３ａ’並びに左連結部２３ａ”が前記第１姿勢から前記第２姿勢に（図中左側から右側に向かう矢印Ａ方向に）移行する一方、前記第２姿勢から前記第１姿勢に（図中右側から左側に向かう矢印Ｂ方向に）移行する状態を示す状態遷移図であり、図７（Ｂ）は右連結部材２３ｂ，２３ｂ’並びに右連結部２３ａ”が前記第１姿勢から前記第２姿勢に（図中左側から右側に向かう矢印Ａ方向に）移行する一方、前記第２姿勢から前記第１姿勢に（図中右側から左側に向かう矢印Ｂ方向に）移行する状態を示す状態遷移図である。
【００４７】
また、図３に示す眼鏡フレーム用テンプル２ａ’，２ｂ’及び眼鏡フレーム１０’では、前記第２姿勢において（図３（Ｃ）参照）、第２部材２２ａ’，２２ｂ’の基端Ｒ１が第１部材２１ａ’，２１ｂ’の先端Ｒ２よりも内方に位置するので、連結部材２３ａ’，２３ｂ’がかかる第２姿勢を取るように切り替えられている状態において、使用者による装着の際に、第２部材２２ａ’，２２ｂ’の基端部側２ｘが外方に押され、この動作によって連結部材２３ａ’，２３ｂ’が前記第１姿勢に切り替えられるので、かかる装着動作とは別個の切り替え動作を行うことなく、前記第２姿勢から前記第１姿勢へ切り替えることができる。また、使用者による装着の際に、第２部材２２ａ’，２２ｂ’の第１部材２１ａ，２１ｂとの重なる部分Ｓ（図３（Ａ）参照）が、使用者が顔を動かしたり、運動等を行ったりすることで、顔の側部に触れることがあっても、前記第１姿勢から前記第２姿勢に切り替えられる際に内方に向けて付与される付勢力によって、第２部材２２ａ’，２２ｂ’の揺動が十分に抑制され、これにより、ホールド性を良好に維持することができる。さらに第１部材と第２部材とを軸支する構成ではないため、軸支する構成の場合のような繰り返し使用による軸部材の劣化がない。
【００４８】
さらに、図４に示す眼鏡フレーム用テンプル２ａ”，２ｂ”及び眼鏡フレーム１０”では、該テンプル２ａ”，２ｂ”は、図１に示すテンプル２ａ，２ｂにおいて、第１部材２１ａ，２１ｂ、第２部材２２ａ，２２ｂ及び連結部材２３ａ，２３ｂを一体形成されたものとしているので、図１に示すテンプル２ａ，２ｂを製造する際に必要な、第１部材２１ａ，２１ｂ、第２部材２２ａ，２２ｂ及び連結部材２３ａ，２３ｂの組付作業工程をなくすことができ、それだけ、生産性を向上させることができると共に、第１部材２１ａ，２１ｂ及び第２部材２２ａ，２２ｂと連結部材２３ａ，２３ｂとのつなぎ目がないので、使用者が装着するに際して、快適な装着感を得ることができる。
【図面の簡単な説明】
【００４９】
【図１】図１は、本発明の実施形態に係る左右一対の眼鏡フレーム用テンプルであって、所謂ストレートタイプのテンプルの一例を備えた眼鏡フレームの概略構成を示す図であり、図１（Ａ）は、左右の連結部材が外方に向けて凸状に湾曲した第１姿勢を取っている状態を示す眼鏡フレームの平面図であり、図１（Ｂ）は、図１（Ａ）に示す眼鏡フレームの左側面図であり、図１（Ｃ）は、該左右の連結部材が内方に向けて凸状に湾曲した第２姿勢を取っている状態を示す眼鏡フレームの平面図であり、図１（Ｄ）は、図１（Ｃ）に示す眼鏡フレームの左側面図である。
【図２】図２は、図１に示す眼鏡フレームにおける連結部材について示した概略図であって、図２（Ａ）は、その左側面図であり、図２（Ｂ）は、左右の連結部材が外方に向けて凸状に湾曲した第１姿勢を取っている状態の該左右の連結部材の断面図であり、また、図２（Ｃ）は、左右の連結部材が内方に向けて凸状に湾曲した第２姿勢を取っている状態の該左右の連結部材の断面図である。
【図３】図３は、本発明の実施形態に係る左右一対の眼鏡フレーム用テンプルであって、所謂ストレートタイプのテンプルの他の例を備えた眼鏡フレームの概略構成を示す図であって、図３（Ａ）は、左右の連結部材が外方に向けて凸状に湾曲した第１姿勢を取っている状態を示す眼鏡フレームの平面図であり、図３（Ｂ）は、図３（Ａ）に示す眼鏡フレームの左側面図であり、図３（Ｃ）は、該左右の連結部材が内方に向けて凸状に湾曲した第２姿勢を取っている状態を示す眼鏡フレームの平面図であり、図３（Ｄ）は、図３（Ｃ）に示す眼鏡フレームの左側面図である。
【図４】図４は、本発明の実施形態に係る左右一対の眼鏡フレーム用テンプルであって、所謂ストレートタイプのテンプルのさらに他の例を備えた眼鏡フレームの概略構成を示す図であって、図４（Ａ）は、左右の連結部材が外方に向けて凸状に湾曲した第１姿勢を取っている状態を示す眼鏡フレームの平面図であり、図４（Ｂ）は、図４（Ａ）に示す眼鏡フレームの左側面図であり、図４（Ｃ）は、該左右の連結部材が内方に向けて凸状に湾曲した第２姿勢を取っている状態を示す眼鏡フレームの平面図であり、図４（Ｄ）は、図４（Ｃ）に示す眼鏡フレームの左側面図である。
【図５】図５は、図４に示す眼鏡フレームにおけるテンプルの連結部について示した概略図であり、図５（Ａ）は、その左側面図を示しており、図５（Ｂ）は、連結部が外方に向けて凸状に湾曲した第１姿勢を取っている状態の該連結部の断面図を示しており、また、図５（Ｃ）は、連結部が内方に向けて凸状に湾曲した第２姿勢を取っている状態の該連結部の断面図を示している。
【図６】図６（Ａ）は、金型加工等によって連結部における開口部周縁部（図中斜線参照）の一部を開放した開放部分を有する中間部材の該開口部部分を中心に示した図であり、図６（Ｂ）は、開放部分の両開放端を閉じることで、最終的な形状に形成されたテンプルの開口部部分を中心に示した図である。
【図７】図７は、連結部材及び連結部の状態遷移図であって、図７（Ａ）は、左連結部材及び左連結部が第１姿勢から第２姿勢に移行する一方、第２姿勢から第１姿勢に移行する状態を示し、図７（Ｂ）は、右連結部材及び右連結部が第１姿勢から第２姿勢に移行する一方、第２姿勢から前記第１姿勢に移行する状態を示している。
【符号の説明】
【００５０】
２ａ，２ｂ，２ａ’，２ｂ’…眼鏡フレーム用テンプル  １０，１０’…眼鏡フレーム  
２１ａ，２１ｂ，２１ａ’，２１ｂ’…第１部材  ２１ａ”，２１ｂ”…第１テンプル部
２２ａ，２２ｂ，２２ａ’，２２ｂ’…第２部材  ２２ａ”，２２ｂ”…第２テンプル部
２３ａ，２３ｂ，２３ａ’，２３ｂ’…連結部材  ２３ａ”，２３ｂ”…連結部  
Ｈ…連結部材及び連結部の開口部  Ｑ１，Ｑ２…連結部材及び連結部の上下の内側面  
Ｑ１’，Ｑ２’…連結部材及び連結部の上下の外側面  
Ｒ１…第２部材の基端  Ｒ２…第１部材の先端
【図１】
2006195391.tif 000003
【図２】
2006195391.tif 000004
【図３】
2006195391.tif 000005
【図４】
2006195391.tif 000006
【図５】
2006195391.tif 000007
【図６】
2006195391.tif 000008
【図７】
2006195391.tif 000009